(57)【要約】【課題】  二つのオペレーションシステムを具えアップデートデータの自動ダウンロードを行なうコンピュータシステム及びその方法の提供。【解決手段】  本発明は第１オペレーションシステム（第１ＯＳ）と第２オペレーションシステム（第２ＯＳ）をインストールしたコンピュータシステムに用いられ、第２ＯＳは第１ＯＳのデータとアプリケーションプログラムを共有可能で、本発明は第１ＯＳのダウンロードユニットを実行することで、遠方のサーバーユニットよりアップデートデータをダウンロードし、その後、第２ＯＳを実行する時、第２ＯＳのアップデートユニットが第１ＯＳ下のアップデートデータを自動読み取り、実行し、第２ＯＳとそれが使用するアプリケーションプログラムをアップデートでき、こうして随時コンピュータシステムのアプリケーションプログラムと第２ＯＳをアップデートして完全なサービスを提供する。【選択図】        図１
2005310074.tif 000002
【特許請求の範囲】
【請求項１】
二つのオペレーションシステムを具えアップデートデータの自動ダウンロードを行なうコンピュータシステムにおいて、
少なくとも一つのアップデートデータを提供する遠方サーバーユニットと、
該コンピュータシステムの起動の設定を管理及びプログラム制御する基本入出力システムと、
少なくとも一つのアプリケーションプログラムがインストールされた第１オペレーションシステムと、
該第１オペレーションシステムにインストールされて該遠方サーバーユニットの該アップデートデータをダウンロードするダウンロードユニットと、
システムソース消耗が少なく、第１オペレーションシステムの該アプリケーションプログラムと該アップデートデータを共有、実行し、共有時に実行命令を発生する第２オペレーションシステムと、
該実行命令を受け取りパラメータ変換命令を送出する駆動ユニットと、
該パラメータ変換命令を受け取り該アップデートデータを該第２オペレーションシステムが読み取り可能なデータに変換するパラメータ変換ユニットと、
該第２オペレーションシステムにインストールされて該第２オペレーションシステムを実行する時、該アップデートデータを読み取り実行するアップデートユニットと、
を具えたことを特徴とする、二つのオペレーションシステムを具えアップデートデータの自動ダウンロードを行なうコンピュータシステム。
【請求項２】
請求項１記載の二つのオペレーションシステムを具えアップデートデータの自動ダウンロードを行なうコンピュータシステムにおいて、アップデートデータが前記アプリケーションプログラムのアップデートデータとされたことを特徴とする、二つのオペレーションシステムを具えアップデートデータの自動ダウンロードを行なうコンピュータシステム。
【請求項３】
請求項１記載の二つのオペレーションシステムを具えアップデートデータの自動ダウンロードを行なうコンピュータシステムにおいて、アップデートデータが第２オペレーションシステムのアップデートデータとされたことを特徴とする、二つのオペレーションシステムを具えアップデートデータの自動ダウンロードを行なうコンピュータシステム。
【請求項４】
請求項１記載の二つのオペレーションシステムを具えアップデートデータの自動ダウンロードを行なうコンピュータシステムにおいて、前記アプリケーションプログラムがマルチメディア放送プログラムとされたことを特徴とする、二つのオペレーションシステムを具えアップデートデータの自動ダウンロードを行なうコンピュータシステム。
【請求項５】
請求項１記載の二つのオペレーションシステムを具えアップデートデータの自動ダウンロードを行なうコンピュータシステムにおいて、第２オペレーションシステムに少なくとも一つのアプリケーションプログラムがインストールされ、前記アップデートデータがこの第２オペレーションシステムにインストールされたアプリケーションプログラムのアップデートデータとされたことを特徴とする、二つのオペレーションシステムを具えアップデートデータの自動ダウンロードを行なうコンピュータシステム。
【請求項６】
請求項５記載の二つのオペレーションシステムを具えアップデートデータの自動ダウンロードを行なうコンピュータシステムにおいて、第２オペレーションシステムにインストールされたアプリケーションプログラムがマルチメディア放送プログラムとされたことを特徴とする、二つのオペレーションシステムを具えアップデートデータの自動ダウンロードを行なうコンピュータシステム。
【請求項７】
請求項４又は請求項６記載の二つのオペレーションシステムを具えアップデートデータの自動ダウンロードを行なうコンピュータシステムにおいて、マルチメディア放送プログラムがＣＤ、ＭＰ３、ＤＶＤ、ＶＣＤ再生、ブロードキャスティング、テレビ視聴、写真閲覧のいずれかの機能を実行できることを特徴とする、二つのオペレーションシステムを具えアップデートデータの自動ダウンロードを行なうコンピュータシステム。
【請求項８】
請求項１記載の二つのオペレーションシステムを具えアップデートデータの自動ダウンロードを行なうコンピュータシステムにおいて、第１オペレーションシステムがウインドウズ系列のオペレーションシステムとされたことを特徴とする、二つのオペレーションシステムを具えアップデートデータの自動ダウンロードを行なうコンピュータシステム。
【請求項９】
請求項１記載の二つのオペレーションシステムを具えアップデートデータの自動ダウンロードを行なうコンピュータシステムにおいて、第２オペレーションシステムがリナックスオペレーションシステムとされたことを特徴とする、二つのオペレーションシステムを具えアップデートデータの自動ダウンロードを行なうコンピュータシステム。
【請求項１０】
二つのオペレーションシステムがアップデートデータを自動ダウンロードする方法において、この方法は第１オペレーションシステムと第２オペレーションシステムがインストールされたコンピュータシステムに用いられ、該第１オペレーションシステムには少なくとも一つのアプリケーションプログラムがインストールされ、該第２オペレーションシステムはそのシステムソース消耗が少なく、該方法は、
第１オペレーションシステムを実行し遠方よりアップデートデータをダウンロードするステップと、
第２オペレーションシステムを実行して実行命令を駆動ユニットに送出するステップと、
実行命令を受け取った駆動ユニットがパラメータ変換命令をパラメータ変換ユニットに送出するステップと、
該パラメータ変換ユニットが第１オペレーションシステムの該アップデートデータを第２オペレーションシステムが読み取り可能なデータに変換するステップと、
該第２オペレーションシステムのアップデートユニットを実行し、該アップデートデータを読み取り、実行するステップと、
を具えたことを特徴とする、二つのオペレーションシステムがアップデートデータを自動ダウンロードする方法。
【請求項１１】
請求項１０記載の二つのオペレーションシステムがアップデートデータを自動ダウンロードする方法において、第１オペレーションシステムを実行するステップにおいて、コンピュータシステムの基本入出力システムを実行することで第１オペレーションシステムを実行することを特徴とする、二つのオペレーションシステムがアップデートデータを自動ダウンロードする方法。
【請求項１２】
請求項１０記載の二つのオペレーションシステムがアップデートデータを自動ダウンロードする方法において、第２オペレーションシステムを実行するステップにおいて、コンピュータシステムの基本入出力システムを実行することで第２オペレーションシステムを実行することを特徴とする、二つのオペレーションシステムがアップデートデータを自動ダウンロードする方法。
【請求項１３】
請求項１０記載の二つのオペレーションシステムがアップデートデータを自動ダウンロードする方法において、アップデートデータが第２オペレーションシステムのアップデートデータとされたことを特徴とする、二つのオペレーションシステムがアップデートデータを自動ダウンロードする方法。
【請求項１４】
請求項１０記載の二つのオペレーションシステムがアップデートデータを自動ダウンロードする方法において、アップデートデータが前記アプリケーションプログラムのアップデートデータとされたことを特徴とする、二つのオペレーションシステムがアップデートデータを自動ダウンロードする方法。
【請求項１５】
請求項１０記載の二つのオペレーションシステムがアップデートデータを自動ダウンロードする方法において、アプリケーションプログラムがマルチメディア放送プログラムとされたことを特徴とする、二つのオペレーションシステムがアップデートデータを自動ダウンロードする方法。
【請求項１６】
請求項１０記載の二つのオペレーションシステムがアップデートデータを自動ダウンロードする方法において、第２オペレーションシステムに少なくとも一つのアプリケーションプログラムがインストールされ、前記アップデートデータがこの第２オペレーションシステムにインストールされたアプリケーションプログラムのアップデートデータとされたことを特徴とする、二つのオペレーションシステムがアップデートデータを自動ダウンロードする方法。
【請求項１７】
請求項１６記載の二つのオペレーションシステムがアップデートデータを自動ダウンロードする方法において、第２オペレーションシステムにインストールされたアプリケーションプログラムがマルチメディア放送プログラムとされたことを特徴とする、二つのオペレーションシステムがアップデートデータを自動ダウンロードする方法。
【請求項１８】
請求項１５又は請求項１７記載の二つのオペレーションシステムがアップデートデータを自動ダウンロードする方法において、マルチメディア放送プログラムがＣＤ、ＭＰ３、ＤＶＤ、ＶＣＤ再生、ブロードキャスティング、テレビ視聴、写真閲覧のいずれかの機能を実行できることを特徴とする、二つのオペレーションシステムがアップデートデータを自動ダウンロードする方法。
【請求項１９】
請求項１０記載の二つのオペレーションシステムがアップデートデータを自動ダウンロードする方法において、第１オペレーションシステムがウインドウズ系列のオペレーションシステムとされたことを特徴とする、二つのオペレーションシステムがアップデートデータを自動ダウンロードする方法。
【請求項２０】
請求項１０記載の二つのオペレーションシステムがアップデートデータを自動ダウンロードする方法において、第２オペレーションシステムがリナックスオペレーションシステムとされたことを特徴とする、二つのオペレーションシステムがアップデートデータを自動ダウンロードする方法。
【請求項２１】
請求項１０記載の二つのオペレーションシステムがアップデートデータを自動ダウンロードする方法において、第１オペレーションシステムを実行し、遠方よりアップデートデータをダウンロードするステップにおいて、現在の第１オペレーションシステム下のアップデートデータと遠方のアップデートデータのバージョンを比較し、遠方のアップデートデータがニューバージョンであれば第１オペレーションシステムにダウンロードすることを特徴とする、二つのオペレーションシステムがアップデートデータを自動ダウンロードする方法。
【請求項２２】
請求項１０記載の二つのオペレーションシステムがアップデートデータを自動ダウンロードする方法において、アップデートユニットを実行し、アップデートデータを読み取り実行するステップにおいて、第１オペレーションシステム下のアップデートデータとコンピュータシステムが現在使用しているデータのバージョンを比較し、第１オペレーションシステム下のアップデートデータがニューバージョンであればアップデートを行なうことを特徴とする、二つのオペレーションシステムがアップデートデータを自動ダウンロードする方法。
【発明の詳細な説明】
【技術分野】
【０００１】
本発明は一種の二つのオペレーションシステムを具えアップデートデータの自動ダウンロードを行なうコンピュータシステム及びその方法に係り、特に、コンピュータシステムに二つのオペレーションシステムがインストールされて自動的に遠方よりアップデートデータをダウンロードし並びにアップデートし、これによりコンピュータシステムにインストールされたアプリケーションプログラムの使用効果を高めるシステム及びその方法に関する。
【背景技術】
【０００２】
現代の競争が激しく効率が求められる時代にあって、コンピュータシステムは現代人にとって不可欠のツールとなっており、コンピュータシステムは相当多くの事務の処理、例えば、文献処理、図作成、演算、メール等の機能を補助し、事務処理の便利性を高めている。このほか、現代の情報テクノロジーの進歩に伴い、コンピュータシステムもまた急速に発展し、その発展は既に家電化に向かっており、大衆の生活と一つに結合されつつある。現在大衆は余暇の過ごし方をますます重視するようになっており、ゆえに現在のコンピュータシステムはいずれもマルチメディア機能、例えば音楽の放送、ＶＣＤ、ＤＶＤ、ブロードキャスティング番組の視聴及び録画した番組の視聴等の機能を具備し、緊張をリラックスさせるのに役立っている。且つ家庭に一台の機能が完全なコンピュータシステムを具備することで、別に音楽プレイヤー、ＶＣＤ、ＤＶＤ等の電子ハードウエア製品を購入する必要がなくなり、更にはテレビまでもが不要となるため、費用と空間を節約できる。
【０００３】
現在、コンピュータシステムにインストールされるオペレーションシステムのほとんどは、世界的に有名なマイクロソフト社のＷｉｎｄｏｗｓ（登録商標）オペレーションシステムである。マイクロソフト社は世界で最大のソフトウエア会社であり、Ｗｉｎｄｏｗｓ（登録商標）オペレーションシステムは各種プログラムベース、周辺装置の駆動プログラム、ヒューマンマンインタフェース及びアプリケーションソフト、各メーカーのハードウエアチップ或いはプラットフォーム上のいずれにあっても良好な技術サポートを有している。このほか、更に調達、管理と使用が容易で、企業レベルの信頼性、可使用性と相容性と性能を具え、簡単に動態の企業ネットワークとインターネットのステーションを構築でき、整合されたアプリケーションプログラムサーバーを有し、開発速度を加速し授権ユーザーに多項目の作業を行なわせ、サポートコストを下げる等の多くの特徴を有している。
【０００４】
一方で、Ｗｉｎｄｏｗｓ（登録商標）オペレーションシステムは強大なシステムソースを提供するが、そのシステムソース消耗の負荷を増し、システム安定度と起動速度に影響を与える。ユーザーはＷｉｎｄｏｗｓ（登録商標）オペレーションシステムの単一アプリケーションプログラムを使用する時であっても、長過ぎる起動時間を待たねばならず、時間の浪費を形成し、現代の効率が求められる時代にあって、ユーザーはコンピュータシステムに高い安定性と低いシステムソース消耗、短時間の起動能力、低いシステム構築コスト等の特性を求める。このためＬｉｎｕｘオペレーションシステムが勃興し日増しに発展した。しかしＬｉｎｕｘオペレーションシステムの発展は遥かにＷｉｎｄｏｗｓ（登録商標）オペレーションシステムに及ばず、このためサポートするアプリケーションプログラム上、その相容性と普及性はいずれもＷｉｎｄｏｗｓ（登録商標）オペレーションシステムに及ばない。
【０００５】
上述の問題に対して、本件出願人は特許文献１において、一種の「オペレーションシステムがアプリケーションプログラムを共有する構造及びその方法」を提供しており、それによると、コンピュータシステムにシステムソース消耗が高い第１オペレーションシステムとシステムソース消耗が低い第２オペレーションシステムがインストールされ、第２オペレーションシステムが第１オペレーションシステム下のアプリケーションプログラムを共用でき、これによりユーザーが一つのアプリケーションプログラムのみを使用する必要がある時、例えばユーザーがマルチメディア放送プログラムのみを使用したい時に、直接コンピュータシステムの第２オペレーションシステムを起動して速やかにマルチメディア放送プログラムを実行でき、更に第１オペレーションシステムを起動する必要がないようにし、これによりシステムソース消耗を減らすと共に使用効率を高めている。
【０００６】
ユーザーの要求の高まりに対応するためにコンピュータシステムにインストールされるハードウエア駆動プログラム、オペレーションシステム及びアプリケーションプログラムも常時アップデートが必要となる。特許文献１のコンピュータシステムにインストールされる第２オペレーションシステムはインターネットサポートが完全ではなく、問題が発生しやすく、ゆえに完全には第２オペレーションシステム及びインストール或いは共有実行するアプリケーションのアップデートプログラムをダウンロードしてアップデートできず、このためユーザーに完全なサービスを提供できない。
【０００７】
このため、上述の問題に対して二つのオペレーションシステムを具えアップデートデータの自動ダウンロードを行なうコンピュータシステム及びその方法を提供して、完全にデータをダウンロードしてアップデートできるようにし、コンピュータシステムの使用機能を高め、ユーザーに更に良好なサービスを提供できるようにすることが求められている。
【０００８】
【特許文献１】台湾特許出願第０９３１０２２３７号明細書
【発明の開示】
【発明が解決しようとする課題】
【０００９】
本発明の主要な目的は、第１オペレーションシステム下でアップデートデータをダウンロードし、第２オペレーションシステム下で第２オペレーションシステムとインストール共有されるアプリケーションプログラムを自動アップデートするようにし、二つのオペレーションシステムを具えたコンピュータシステムの使用機能を高めることにある。
【００１０】
本発明のもう一つの目的は、効率的にアップデートデータをダウンロードでき、コンピュータシステムの使用効率を高めることができる二つのオペレーションシステムを具えたコンピュータシステムを提供することにある。
【課題を解決するための手段】
【００１１】
請求項１の発明は、二つのオペレーションシステムを具えアップデートデータの自動ダウンロードを行なうコンピュータシステムにおいて、
少なくとも一つのアップデートデータを提供する遠方サーバーユニットと、
該コンピュータシステムの起動の設定を管理及びプログラム制御する基本入出力システムと、
少なくとも一つのアプリケーションプログラムがインストールされた第１オペレーションシステムと、
該第１オペレーションシステムにインストールされて該遠方サーバーユニットの該アップデートデータをダウンロードするダウンロードユニットと、
システムソース消耗が少なく、第１オペレーションシステムの該アプリケーションプログラムと該アップデートデータを共有、実行し、共有時に実行命令を発生する第２オペレーションシステムと、
該実行命令を受け取りパラメータ変換命令を送出する駆動ユニットと、
該パラメータ変換命令を受け取り該アップデートデータを該第２オペレーションシステムが読み取り可能なデータに変換するパラメータ変換ユニットと、
該第２オペレーションシステムにインストールされて該第２オペレーションシステムを実行する時、該アップデートデータを読み取り実行するアップデートユニットと、
を具えたことを特徴とする、二つのオペレーションシステムを具えアップデートデータの自動ダウンロードを行なうコンピュータシステムとしている。
請求項２の発明は、請求項１記載の二つのオペレーションシステムを具えアップデートデータの自動ダウンロードを行なうコンピュータシステムにおいて、アップデートデータが前記アプリケーションプログラムのアップデートデータとされたことを特徴とする、二つのオペレーションシステムを具えアップデートデータの自動ダウンロードを行なうコンピュータシステムとしている。
請求項３の発明は、請求項１記載の二つのオペレーションシステムを具えアップデートデータの自動ダウンロードを行なうコンピュータシステムにおいて、アップデートデータが第２オペレーションシステムのアップデートデータとされたことを特徴とする、二つのオペレーションシステムを具えアップデートデータの自動ダウンロードを行なうコンピュータシステムとしている。
請求項４の発明は、請求項１記載の二つのオペレーションシステムを具えアップデートデータの自動ダウンロードを行なうコンピュータシステムにおいて、前記アプリケーションプログラムがマルチメディア放送プログラムとされたことを特徴とする、二つのオペレーションシステムを具えアップデートデータの自動ダウンロードを行なうコンピュータシステムとしている。
請求項５の発明は、請求項１記載の二つのオペレーションシステムを具えアップデートデータの自動ダウンロードを行なうコンピュータシステムにおいて、第２オペレーションシステムに少なくとも一つのアプリケーションプログラムがインストールされ、前記アップデートデータがこの第２オペレーションシステムにインストールされたアプリケーションプログラムのアップデートデータとされたことを特徴とする、二つのオペレーションシステムを具えアップデートデータの自動ダウンロードを行なうコンピュータシステムとしている。
請求項６の発明は、請求項５記載の二つのオペレーションシステムを具えアップデートデータの自動ダウンロードを行なうコンピュータシステムにおいて、第２オペレーションシステムにインストールされたアプリケーションプログラムがマルチメディア放送プログラムとされたことを特徴とする、二つのオペレーションシステムを具えアップデートデータの自動ダウンロードを行なうコンピュータシステムとしている。
請求項７の発明は、請求項４又は請求項６記載の二つのオペレーションシステムを具えアップデートデータの自動ダウンロードを行なうコンピュータシステムにおいて、マルチメディア放送プログラムがＣＤ、ＭＰ３、ＤＶＤ、ＶＣＤ再生、ブロードキャスティング、テレビ視聴、写真閲覧のいずれかの機能を実行できることを特徴とする、二つのオペレーションシステムを具えアップデートデータの自動ダウンロードを行なうコンピュータシステムとしている。
請求項８の発明は、請求項１記載の二つのオペレーションシステムを具えアップデートデータの自動ダウンロードを行なうコンピュータシステムにおいて、第１オペレーションシステムがウインドウズ系列のオペレーションシステムとされたことを特徴とする、二つのオペレーションシステムを具えアップデートデータの自動ダウンロードを行なうコンピュータシステムとしている。
請求項９の発明は、請求項１記載の二つのオペレーションシステムを具えアップデートデータの自動ダウンロードを行なうコンピュータシステムにおいて、第２オペレーションシステムがリナックスオペレーションシステムとされたことを特徴とする、二つのオペレーションシステムを具えアップデートデータの自動ダウンロードを行なうコンピュータシステムとしている。
請求項１０の発明は、二つのオペレーションシステムがアップデートデータを自動ダウンロードする方法において、この方法は第１オペレーションシステムと第２オペレーションシステムがインストールされたコンピュータシステムに用いられ、該第１オペレーションシステムには少なくとも一つのアプリケーションプログラムがインストールされ、該第２オペレーションシステムはそのシステムソース消耗が少なく、該方法は、
第１オペレーションシステムを実行し遠方よりアップデートデータをダウンロードするステップと、
第２オペレーションシステムを実行して実行命令を駆動ユニットに送出するステップと、
実行命令を受け取った駆動ユニットがパラメータ変換命令をパラメータ変換ユニットに送出するステップと、
該パラメータ変換ユニットが第１オペレーションシステムの該アップデートデータを第２オペレーションシステムが読み取り可能なデータに変換するステップと、
該第２オペレーションシステムのアップデートユニットを実行し、該アップデートデータを読み取り、実行するステップと、
を具えたことを特徴とする、二つのオペレーションシステムがアップデートデータを自動ダウンロードする方法としている。
請求項１１の発明は、請求項１０記載の二つのオペレーションシステムがアップデートデータを自動ダウンロードする方法において、第１オペレーションシステムを実行するステップにおいて、コンピュータシステムの基本入出力システムを実行することで第１オペレーションシステムを実行することを特徴とする、二つのオペレーションシステムがアップデートデータを自動ダウンロードする方法としている。
請求項１２の発明は、請求項１０記載の二つのオペレーションシステムがアップデートデータを自動ダウンロードする方法において、第２オペレーションシステムを実行するステップにおいて、コンピュータシステムの基本入出力システムを実行することで第２オペレーションシステムを実行することを特徴とする、二つのオペレーションシステムがアップデートデータを自動ダウンロードする方法としている。
請求項１３の発明は、請求項１０記載の二つのオペレーションシステムがアップデートデータを自動ダウンロードする方法において、アップデートデータが第２オペレーションシステムのアップデートデータとされたことを特徴とする、二つのオペレーションシステムがアップデートデータを自動ダウンロードする方法としている。
請求項１４の発明は、請求項１０記載の二つのオペレーションシステムがアップデートデータを自動ダウンロードする方法において、アップデートデータが前記アプリケーションプログラムのアップデートデータとされたことを特徴とする、二つのオペレーションシステムがアップデートデータを自動ダウンロードする方法としている。
請求項１５の発明は、請求項１０記載の二つのオペレーションシステムがアップデートデータを自動ダウンロードする方法において、アプリケーションプログラムがマルチメディア放送プログラムとされたことを特徴とする、二つのオペレーションシステムがアップデートデータを自動ダウンロードする方法としている。
請求項１６の発明は、請求項１０記載の二つのオペレーションシステムがアップデートデータを自動ダウンロードする方法において、第２オペレーションシステムに少なくとも一つのアプリケーションプログラムがインストールされ、前記アップデートデータがこの第２オペレーションシステムにインストールされたアプリケーションプログラムのアップデートデータとされたことを特徴とする、二つのオペレーションシステムがアップデートデータを自動ダウンロードする方法としている。
請求項１７の発明は、請求項１６記載の二つのオペレーションシステムがアップデートデータを自動ダウンロードする方法において、第２オペレーションシステムにインストールされたアプリケーションプログラムがマルチメディア放送プログラムとされたことを特徴とする、二つのオペレーションシステムがアップデートデータを自動ダウンロードする方法としている。
請求項１８の発明は、請求項１５又は請求項１７記載の二つのオペレーションシステムがアップデートデータを自動ダウンロードする方法において、マルチメディア放送プログラムがＣＤ、ＭＰ３、ＤＶＤ、ＶＣＤ再生、ブロードキャスティング、テレビ視聴、写真閲覧のいずれかの機能を実行できることを特徴とする、二つのオペレーションシステムがアップデートデータを自動ダウンロードする方法としている。
請求項１９の発明は、請求項１０記載の二つのオペレーションシステムがアップデートデータを自動ダウンロードする方法において、第１オペレーションシステムがウインドウズ系列のオペレーションシステムとされたことを特徴とする、二つのオペレーションシステムがアップデートデータを自動ダウンロードする方法としている。
請求項２０の発明は、請求項１０記載の二つのオペレーションシステムがアップデートデータを自動ダウンロードする方法において、第２オペレーションシステムがリナックスオペレーションシステムとされたことを特徴とする、二つのオペレーションシステムがアップデートデータを自動ダウンロードする方法としている。
請求項２１の発明は、請求項１０記載の二つのオペレーションシステムがアップデートデータを自動ダウンロードする方法において、第１オペレーションシステムを実行し、遠方よりアップデートデータをダウンロードするステップにおいて、現在の第１オペレーションシステム下のアップデートデータと遠方のアップデートデータのバージョンを比較し、遠方のアップデートデータがニューバージョンであれば第１オペレーションシステムにダウンロードすることを特徴とする、二つのオペレーションシステムがアップデートデータを自動ダウンロードする方法としている。
請求項２２の発明は、請求項１０記載の二つのオペレーションシステムがアップデートデータを自動ダウンロードする方法において、アップデートユニットを実行し、アップデートデータを読み取り実行するステップにおいて、第１オペレーションシステム下のアップデートデータとコンピュータシステムが現在使用しているデータのバージョンを比較し、第１オペレーションシステム下のアップデートデータがニューバージョンであればアップデートを行なうことを特徴とする、二つのオペレーションシステムがアップデートデータを自動ダウンロードする方法としている。
【発明の効果】
【００１２】
本発明は、第１オペレーションシステム下でアップデートデータをダウンロードし、第２オペレーションシステム下で第２オペレーションシステムとインストール共有されるアプリケーションプログラムを自動アップデートするようにし、これにより使用機能を高めた二つのオペレーションシステムを具えたコンピュータシステムを提供している。
【００１３】
本発明はまた、効率的にアップデートデータをダウンロードでき、コンピュータシステムの使用効率を高めることができる二つのオペレーションシステムを具えたコンピュータシステムを提供している。
【発明を実施するための最良の形態】
【００１４】
本発明の二つのオペレーションシステムを具えアップデートデータの自動ダウンロードを行なうコンピュータシステム及びその方法によると、コンピュータシステムには第１オペレーションシステムと第２オペレーションシステムがインストールされ、第１オペレーションシステムには少なくとも一つのアプリケーションプログラムがインストールされ、第２オペレーションシステムはシステムソース消耗が少ないオペレーションシステムとされ、第２オペレーションシステムは第１オペレーションシステムのデータとアプリケーションプログラムを共有でき、第１オペレーションシステムにはダウンロードユニットがインストールされ、遠方サーバーユニットに接続され、少なくとも一つのアップデートデータをダウンロードし、第２オペレーションシステムに駆動ユニット、パラメータ変換ユニット、及びアップデートユニットがインストールされている。本発明のアップデートデータ自動ダウンロードの方法によると、まずコンピュータシステムの基本入出力システム（ＢＩＯＳ）を実行し、第１オペレーションシステムを実行し、ダウンロードユニットを駆動して遠方サーバーユニットに接続し、アップデートデータをダウンロードする。その後、コンピュータシステムのＢＩＯＳ起動時に、第２オペレーションシステムを実行する時、第２オペレーションシステムが実行命令を駆動ユニットに送る。続いて、実行命令を受け取った駆動ユニットがパラメータ変換命令をパラメータ変換ユニットに送る。その後、第１オペレーションシステムのアップデートデータを第２オペレーションシステムが読み取り可能なデータに変換する。最後に、第２オペレーションシステムのアップデートユニットを実行し、該アップデートデータを読み取り実行し、アプリケーションプログラム或いは第２オペレーションシステムのアップデートを実行し、使用性能を高める。
【実施例１】
【００１５】
本発明のコンピュータシステムには第１オペレーションシステムと第２オペレーションシステムがインストールされ、本発明は第１オペレーションシステムを実行して遠方サーバーユニットよりアップデートデータをダウンロードし、第２オペレーションシステムが第１オペレーションシステムのアップデートデータを共有し、該アップデートデータを読み取り実行して第２オペレーションシステムと第２オペレーションシステムがインストールするか或いは共有し実行するアプリケーションプログラムをアップデートする。
【００１６】
図１は本発明の好ましい実施例のブロック図である。図示されるように、本発明のコンピュータシステムは、基本入出力システム１０（ＢＩＯＳ）を具え、それはコンピュータシステムの起動の設定を管理及びプログラム制御する。コンピュータシステムには第１オペレーションシステム２０と第２オペレーションシステム５０がインストールされ、第１オペレーションシステム２０はシステムソース消耗が大きいオペレーションシステムであり、それには少なくとも一つのアプリケーションプログラム、例えばマルチメディア放送プログラム２５がインストールされ、該第１オペレーションシステム２０はＦＡＴ或いはＮＴＦＳのファイル形式とされ、例えばＷｉｎｄｏｗｓ（登録商標）系列のオペレーションシステムとされ、Ｗｉｎｄｏｗｓ（登録商標）ＸＰ、Ｗｉｎｄｏｗｓ（登録商標）ＮＴ、Ｗｉｎｄｏｗｓ（登録商標）９８、Ｗｉｎｄｏｗｓ（登録商標）２０００及びＷｉｎｄｏｗｓ（登録商標）Ｍｅとされる。第１オペレーションシステム２０には並びにダウンロードユニット３０がインストールされ、それは遠方サーバーユニット４０に接続可能で、遠方サーバーユニット４０の提供する少なくとも一つのアップデートデータをダウンロードする。
【００１７】
第２オペレーションシステム５０はシステムソース消耗が少ないオペレーションシステムであり、それはＥＸＴ２或いはＥＸＴ３のファイル形式とされ、例えばＬｉｎｕｘオペレーションシステムとされる。本発明の第２オペレーションシステム５０は第１オペレーションシステム２０のアップデートデータ３５とアプリケーションプログラム、例えばマルチメディア放送プログラム２５を共有し、マルチメディア項目を実行し、マルチメディア放送プログラム２５はＣＤ、ＭＰ３、ＤＶＤ、ＶＣＤ、ブロードキャスティング、テレビ視聴及び写真閲覧等を実行できる。第２オペレーションシステム５０が第１オペレーションシステム２０のアプリケーションプログラムとアップデートデータ３５を共有する時、第２オペレーションシステム５０は実行命令を駆動ユニット５５に送り、駆動ユニットにパラメータ変換命令を、パラメータ変換ユニット６０に送らせ、パラメータ変換ユニット６０はこれを受けて第１オペレーションシステム２０のアップデートデータ３５を第２オペレーションシステム５０が読み取り可能なように変換し、こうして第２オペレーションシステム５０にインストールされたアップデートユニット６５が該アップデートデータを読み取って実行でき、これにより第２オペレーションシステム５０と第２オペレーションシステム５０が共有実行するアプリケーションプログラムをアップデートする。
【００１８】
本発明の二つのオペレーションシステムを具える意味は、コンピュータシステムユーザー７０が単一のアプリケーションプログラムのみを使用したい時に、第２オペレーションシステム５０を実行して実行したい単一アプリケーションプログラムを実行することにより、起動実行時間を短縮し、且つコンピュータシステムのシステムソース消耗を減らすことにある。例えばユーザー７０がコンピュータシステムを起動してマルチメディア放送プログラム２５のみを実行して映画や音楽を放送したり或いはブロードキャスティング等のマルチメディアサービスを実行したい時、このコンピュータシステムは第２オペレーションシステム５０を実行して第１オペレーションシステム２０のマルチメディア放送プログラム２５を共有実行し、マルチメディアサービスを実行し、これによりコンピュータシステムを起動してマルチメディア放送プログラム２５を実行するのにかかる時間を短縮する。しかし、ユーザー７０が同時に複数項のアプリケーションプログラムを実行したい時は、一般の第１オペレーションシステム２０を使用してコンピュータシステムを起動して複数のアプリケーションプログラムを実行する。
【００１９】
図２は本発明の好ましい実施例のフローチャートである。コンピュータシステムのユーザー７０が一般に第１オペレーションシステム２０を起動してコンピュータシステムを使用する時、基本入出力システム１０はステップＳ１を実行する。即ち第１オペレーションシステム２０をコンピュータシステム起動後に使用するオペレーションシステムとして実行する。この時、第１オペレーションシステム２０のダウンロードユニット３０は遠方サーバーユニット４０に自動接続され、少なくとも一つのアップデートデータをダウンロードし、ダウンロードユニット３０は遠方よりアップデートデータをダウンロードすると同時に、遠方サーバーユニット４０の提供するアップデートデータと現在の第１オペレーションシステム２０下のアップデートデータ３５のバージョンを比較し、遠方サーバーユニット４０のアップデートデータがニューバージョンであればダウンロードし、第１オペレーションシステム２０下に保存し、ダウンロードしたアップデートデータ３５は第２オペレーションシステム５０と第２オペレーションシステム５０が共有、実行するアプリケーションプログラム、例えばマルチメディア放送プログラム２５とされる。
【００２０】
その後、ユーザー７０が第２オペレーションシステム５０を起動して単一のアプリケーションプログラムを実行したい時は、基本入出力システム１０はステップＳ２を実行し、第２オペレーションシステム５０を実行し、この時、第２オペレーションシステム５０は実行命令を駆動ユニット５５に送る。続いて実行命令を受け取った駆動ユニット５５がステップＳ３を実行し、パラメータ変換命令をパラメータ変換ユニット６０に送る。その後、パラメータ変換命令を受け取ったパラメータ変換ユニット６０がステップＳ４を実行し、第１オペレーションシステム２０のアップデートデータ３５を第２オペレーションシステム５０が読み取れるデータに変換する。最後に第２オペレーションシステム５０のアップデートユニット６５がステップＳ５を実行し、アップデートデータ３５を読み取り、第２オペレーションシステム５０を或いは共有するアプリケーションプログラムをアップデートする。このほか、アップデートユニット６５はアップデートデータ３５を読み取ると同時にアップデートデータ３５を更新したい第２オペレーションシステム５０或いはアプリケーションプログラムが現在使用しているバージョンと比較し、アップデートデータ３５がニューバージョンであればアップデートを行なう。
【００２１】
第１オペレーションシステム２０のダウンロードユニット３０がダウンロードしたアップデートデータ３５はファイル形式とされ、その内容は複数のアップデートファイルを含み、第２オペレーションシステム５０がアップデートデータ３５を共有する時には、アップデートデータ３５をマウント（ｍｏｕｎｔ）し、それをシステムツリー目録構造のあるノードにマウントし、その後、更にアップデートデータ３５内のアップデートファイルを実行し、アップデートを行なう。アップデートデータ３５は第２オペレーションシステム５０及び共有使用するアプリケーションプログラム、例えばマルチメディア放送プログラム２５をアップデートでき、即ちアップデートデータ３５はマルチメディア放送プログラム２５の多項目の機能をアップデートでき、例えばＣＤ、ＭＰ３、ＤＶＤ、ＶＣＤ、ブロードキャスティング、テレビ視聴及び写真閲覧等の機能をアップデートでき、アップデート実行後に使用しない時は、それをアンマウント（ｕｍｏｕｎｔ）し、それをシステム目録中より除去できる。
【実施例２】
【００２２】
図３を参照されたい。図３は本発明の別の好ましい実施例のフローチャートである。図示されるように、この実施例の先の実施例と異なるところは、第２オペレーションシステム５０に少なくとも一つのアプリケーションプログラムがインストールされ、第２オペレーションシステム５０のアップデートユニット６５もまた第２オペレーションシステム５０にインストールされたアプリケーションプログラムをアップデートできるところであり、図示されるアプリケーションプログラムはマルチメディア放送プログラム２５である。
【００２３】
総合すると、本発明の二つのオペレーションシステムを具えアップデートデータの自動ダウンロードを行なうコンピュータシステム及びその方法は、完全なインターネットサポート機能を具えた第１オペレーションシステム２０を利用してアップデートデータをダウンロードし、その後、第２オペレーションシステム５０がアプリケーションプログラムを使用する時、第２オペレーションシステム５０下のアップデートユニット６５が第１オペレーションシステム２０のアップデートデータ３５を自動読み取り及び実行し、こうして第２オペレーションシステム５０及びアプリケーションプログラムの機能を高め、使用者に良好なサービスを提供する。
【００２４】
本発明は新規性、進歩性及び産業上の利用価値を有している。なお、本発明に基づきなしうる細部の修飾或いは改変は、いずれも本発明の請求範囲に属するものとする。
【図面の簡単な説明】
【００２５】
【図１】本発明の実施例のブロック図である。
【図２】本発明の実施例のフローチャートである。
【図３】本発明の別の実施例のブロック図である。
【符号の説明】
【００２６】
１０  基本入出力システム
２０  第１オペレーションシステム
２５  マルチメディア放送プログラム
３０  ダウンロードユニット
３５  アップデートデータ
４０  遠方サーバーユニット
５０  第２オペレーションシステム
５５  駆動ユニット
６０  パラメータ変換ユニット
６５  アップデートユニット
７０  ユーザー
【図１】
2005310074.tif 000003
【図２】
2005310074.tif 000004
【図３】
2005310074.tif 000005